(57)【要約】【課題】電源オフ時の通信セッションの再確立処理を省略でき、電源をオフするに要する時間を短縮することができる通信端末装置およびその通信方法を提供する。【解決手段】ＥＶＤＯ通信方式に基づいた無線通信制御を行うＥＶＤＯ無線制御部１１７２と、電源オフが指示されるとデータリンクを解放するとともに、通信セッションを解放するようにＥＶＤＯ無線制御部１１７２に要求するデータ通信制御部１１７３とを有し、ＥＶＤＯ無線制御部１１７２は、データ通信制御部１１７３による通信セッションの解放要求に応答して通信セッションを解放させ、通信セッションの解放が電源オフの指示に基づくものであった場合には、通信セッションを解放状態のままに維持し、通信セッションを解放させたときに、通信セッションの解放が電源オフの指示以外に基づくものであった場合には、通信セッションの再接続処理を行う。【選択図】      図２
2005347866.tif 000002
【特許請求の範囲】
【請求項１】
通信に用いるパラメータをネットワーク側に送付して通信セッションを確立し、通信すべき情報の有無にかかわらず当該通信セッションを確立した状態に保つよう解放されても再接続処理を行う通信方式に対応した無線通信を行う無線制御手段を有する通信端末装置であって、
上記無線制御手段は、通信セッションを解放すべき状態となり、当該通信セッションを解放させたときに、当該通信セッションの解放を電源オフ処理に基づいて行ったものである場合には、通信セッションを解放状態のままに維持する
ことを特徴とする通信端末装置。
【請求項２】
ネットワークとの間で、無線による物理コネクションと、通信に用いるパラメータを上記ネットワーク側に送付して通信条件を取り決める通信セッションと、データを送受するデータリンクと、を順次接続することにより通信を行う通信方式に対応した無線通信を行い、通信すべき情報の有無にかかわらず、上記通信セッションを確立した状態に保つよう解放されても再接続処理を行う無線制御手段を有する通信端末装置であって、
上記無線制御手段は、上記データリンクと上記通信セッションを解放すべき状態となり、当該通信セッションを解放させたときに、当該通信セッションの解放を電源オフ処理に基づいて行ったものである場合には、通信セッションを解放状態のままに維持する
ことを特徴とする通信端末装置。
【請求項３】
通信に用いるパラメータをネットワーク側に送付して通信セッションを確立し、通信すべき情報の有無にかかわらず当該通信セッションを確立した状態に保つよう解放されても再接続処理を行う第１の通信方式と、上記第１の通信方式と送受信部を共用し、上記通信セッションを通信コネクションの確立時に確立できる第２の通信方式とに対応した無線通信を行う無線制御手段を備えた通信端末装置であって、
上記無線制御手段は、上記第１の通信方式に対応した無線通信の際に、通信セッションを解放すべき状態となり、当該通信セッションを解放させたときに、当該通信セッションの解放を電源オフ処理に基づいて行ったものである場合には、通信セッションを解放状態のままに維持する
ことを特徴とする通信端末装置。
【請求項４】
上記無線制御手段は、上記第２の通信方式で待ち受けるものであって、上記第２の通信方式にて上記第１の通信方式への遷移を指令される
ことを特徴とする請求項３に記載の通信端末装置。
【請求項５】
上記無線制御手段は、上記通信セッションを解放させたときに、当該通信セッションの解放を上記電源オフ処理以外に基づいて行ったものである場合には、当該通信セッションの再接続処理を行う
ことを特徴とする請求項１乃至４のいずれか一に記載の通信端末装置。
【請求項６】
通信に用いるパラメータをネットワーク側に送付して通信セッションを確立し、通信すべき情報の有無にかかわらず当該通信セッションを確立した状態に保つよう解放されても再接続処理を行う通信方式に対応した通信端末装置であって、
上記通信方式に基づいた無線通信を行う無線制御手段と、
電源オフが指示されるとデータリンクを解放するとともに、上記通信セッションを解放するように上記無線制御手段に要求するデータ通信制御手段と、を有し、
上記無線制御手段は、上記データ通信制御手段による上記通信セッションの解放要求に応答して当該通信セッションを解放させ、当該通信セッションの解放が電源オフの指示に基づくものであった場合には、通信セッションを解放状態のままに維持する
ことを特徴とする通信端末装置。
【請求項７】
上記無線制御手段は、上記通信セッションを解放させたときに、当該通信セッションの解放が上記電源オフの指示以外に基づくものであった場合には、当該通信セッションの再接続処理を行う
ことを特徴とする請求項６に記載の通信端末装置。
【請求項８】
通信に用いるパラメータをネットワーク側に送付して通信セッションを確立し、通信すべき情報の有無にかかわらず当該通信セッションを確立した状態に保つよう解放されても再接続処理を行う第１の通信方式と、上記第１の通信方式と送受信部を共用し、上記通信セッションを通信コネクションの確立時に確立できる第２の通信方式とに対応した無線通信を行う通信端末装置の通信方法であって、
上記第１の通信方式に対応した無線通信の際に、通信セッションを解放すべき状態となり、当該通信セッションを解放させたときに、当該通信セッションの解放を電源オフ処理に基づいて行ったものである場合には、通信セッションを解放状態のままに維持する
ことを特徴とする通信端末装置の通信方法。
【発明の詳細な説明】
【技術分野】
【０００１】
本発明は、たとえば携帯電話機等の無線通信を行う通信端末装置およびその通信方法に係り、特に、たとえばＣＤＭＡ２０００  １ｘとＣＤＭＡ２０００  １ｘＥＶＤＯ等、複数の無線通信方式に対応する送受信機能を備え、いずれかの通信方式に従って無線通信を行う通信端末装置およびその通信方法に関するものである。
【背景技術】
【０００２】
近年、複数の無線ネットワークを利用できる携帯電話機等の無線通信端末装置が実用に供されている。この種の無線通信端末装置においては、通信速度等の通信品質情報を表示できるように構成される。
【０００３】
また、高速無線通信方式として、ＣＤＭＡ２０００  １ｘＥＶＤＯ（ＥＶｏｌｕｔｉｏｎ  Ｄａｔａ  Ｏｎｌｙ）方式が実用化されようとしている。
【０００４】
現在普及しているＣＤＭＡ２０００  １ｘの通信方式の通信品質情報は、場所によるデータ通信速度の変化がそれほど顕著でないことから、受信状態等の判断も、基地局から受信するパイロット信号から求めたパイロット信号強度対全受信信号強度（Ｅｃ／Ｉｏ）、搬送波対干渉比（ＣＩＲ）等の瞬時値に基づいたものである。
【０００５】
一方、ＣＤＭＡ２０００  １ｘＥＶＤＯの通信方式の通信品質情報は、受信状態（受信電界強度、Ｃ／Ｉ(Carrier to Interference) 等）に基づいて無線通信端末側で予測されるデータ通信速度（ＤＲＣ：ＤａｔａＲａｔｅＣｏｎｔｒｏｌ  Ｂｉｔ）を平均化するものであり、これを表示部に表示してユーザに通知する（たとえば特許文献１，２参照）。
これにより、ＣＤＭＡ２０００  １ｘＥＶＤＯ通信方式を採用した無線通信端末装置のユーザは、正確に通信状態を把握することが可能となる。
【０００６】
ここで、無線通信端末装置を利用してデータ通信を行う場合に、ＣＤＭＡ２０００  １ｘの通信方式に従って無線通信を行う場合と、ＣＤＭＡ２０００  １ｘＥＶＤＯの通信方式に従って無線通信を行う場合についての相違について、図６および図７に関連付けて説明する。
図６は、ＣＤＭＡ２０００  １ｘの通信方式に従って無線通信を行う場合の説明図である。また、図７は、ＣＤＭＡ２０００  １ｘＥＶＤＯの通信方式に従って無線通信を行う場合の説明図である。
【０００７】
まず、無線通信を行うために基地局１と移動機（無線通信端末装置）２との間には、図６および図７に示すようなリンクを確立する必要がある。
ＣＤＭＡ２０００  １ｘの通信方式（以下、単に１ｘ通信方式という）に従って無線通信を行う場合には、データリンクと無線コネクションを確立する必要がある。
これに対して、ＣＤＭＡ２０００  １ｘＥＶＤＯの通信方式（以下、単にＥＶＤＯ通信方式という）に従って無線通信を行う場合、データリンクと無線コネクションに加えて、無線（通信）セッションを確立する必要がある。
【０００８】
データリンクは、ここではＰＰＰ（Ｐｏｉｎｔ  ｔｏ  Ｐｏｉｎｔ  Ｐｒｏｔｏｃｏｌ）を指している。
無線コネクションは、ネットワークとの間で無線による物理コネクションを確立するためのものであり、実際にデータ通信を開始するために無線リソースを割り当てて通信を行うために確立される。無線コネクションは、通信がない場合には、必要に応じて解放される。            
【０００９】
通信セッションは、ＥＶＤＯ通信方式のみに存在し、通信を行うために必要な設定等を共有するために確立される。通信セッションを確立状態に保持することにより、通信開始時の無線設定処理を省略することができる。
ＥＶＤＯ通信方式では、電源オン時においては、通信セッションを常に保持する使用になっていることから、通信セッションを解放した後、直ちに再接続処理を行って、通信セッションを保持するようとする。
ＥＶＤＯ通信方式において、通信セッションは、下位の無線コネクションが解放されても解放されないが、上位のデータリンクが解放された場合、解放されなければならない。
ＥＶＤＯ通信方式において、通信セッションは、頻繁に解放されるものではないため、通信セッション確立時に、通信に用いるパラメータをネットワーク側に送付して通信セッションを確立し、データ通信が即時行えるよう、通信すべき情報の有無にかかわらず通信セッションを確立した状態に保つ。したがって、通信セッションの確立には時間がかかる。
【００１０】
さらに具体的には、現在、ＥＶＤＯ通信方式においては、電源オン時には常に接続されているように指定されている。いわゆる待ち受けは１ｘ通信方式によることから、ＥＶＤＯ通信方式による通信の開始は、１ｘ通信方式にて通知される。したがって、通信が開始するときは１ｘ通信方式にて開始し、その後ＥＶＤＯ通信方式に遷移することになる。
この遷移処理中に、ＥＶＤＯ通信方式に必要な通信セッションを確立するには時間がかかってしまう。
そのため、あらかじめ通信セッションに必要なデータはネットワーク側に送信しておいて、常に通信セッションは確立しておき、必要なときにだけ物理的な無線コネクションを確立してデータ通信を行う。これにより、応答性良く、スピーディな通信方式の遷移が行える。
【００１１】
以上のように、１ｘ通信方式では、通信セッションのようなものを保持しないため、無線コネクション確立時（通信開始時）に設定処理を行うが、無線コネクションの切断時には、解放処理のみで済む。
これに対して、ＥＶＤＯ通信方式では、通信セッションを保持しているため、無線コネクション確立時（通信開始時）には設定処理を行う必要がなく、すばやく接続できる。
しかし、データ通信自体を終了する場合は、上位のデータリンクとともに、通信セッションは解放され、その後直ぐに通信セッションの再確立処理（再接続処理）を行う。
ただし、通常時は、データ通信等と関係なく再確立処理を行って、ユーザは通信セッションの確立処理自体を意識しないでいられることから問題とはならない。
【特許文献１】特開２００２−３４５０１９号公報
【特許文献２】特開２００３−９２７８２号公報
【発明の開示】
【発明が解決しようとする課題】
【００１２】
ところで、ＥＶＤＯ通信方式においては、データリンクがある場合、電源をオフするときは、データリンクとともに通信セッションを解放しなければならない。
これに対して、１ｘ通信方式では、電源切断時にもし、無線コネクションが確立されていた場合にでも簡単なコネクションの解放処理だけで済む。
【００１３】
ＥＶＤＯ通信方式においても同様に、無線コネクションおよび通信セッションの解放処理を行うが、その後の通信セッション確立処理を行ってしまう。
このときの通信セッション確立処理時間が、電源を切断するために許容されている時間（たとえば３〜５秒程度）より長い。
したがって、従来の１ｘ通信方式の通信端末装置の電源切断方法をそのまま適用すると、通信セッションの確立の途中で強制電源切断処理等によって、プロトコルシーケンスが中断されてしまう。
【００１４】
本発明は、かかる事情に鑑みてなされたものであり、その目的は、電源オフ時の通信セッションの再確立処理を省略でき、電源をオフするに要する時間を短縮することができる通信端末装置およびその通信方法を提供することにある。
【課題を解決するための手段】
【００１５】
上記目的を達成するため、本発明の第１の観点は、通信に用いるパラメータをネットワーク側に送付して通信セッションを確立し、通信すべき情報の有無にかかわらず当該通信セッションを確立した状態に保つよう解放されても再接続処理を行う通信方式に対応した無線通信を行う無線制御手段を有する通信端末装置であって、上記無線制御手段は、通信セッションを解放すべき状態となり、当該通信セッションを解放させたときに、当該通信セッションの解放を電源オフ処理に基づいて行ったものである場合には、通信セッションを解放状態のままに維持する。
【００１６】
本発明の第２の観点は、ネットワークとの間で、無線による物理コネクションと、通信に用いるパラメータを上記ネットワーク側に送付して通信条件を取り決める通信セッションと、データを送受するデータリンクと、を順次接続することにより通信を行う通信方式に対応した無線通信を行い、通信すべき情報の有無にかかわらず、上記通信セッションを確立した状態に保つよう解放されても再接続処理を行う無線制御手段を有する通信端末装置であって、上記無線制御手段は、上記データリンクと上記通信セッションを解放すべき状態となり、当該通信セッションを解放させたときに、当該通信セッションの解放を電源オフ処理に基づいて行ったものである場合には、通信セッションを解放状態のままに維持する。
【００１７】
本発明の第３の観点は、通信に用いるパラメータをネットワーク側に送付して通信セッションを確立し、通信すべき情報の有無にかかわらず当該通信セッションを確立した状態に保つよう解放されても再接続処理を行う第１の通信方式と、上記第１の通信方式と送受信部を共用し、上記通信セッションを通信コネクションの確立時に確立できる第２の通信方式とに対応した無線通信を行う無線制御手段を備えた通信端末装置であって、上記無線制御手段は、上記第１の通信方式に対応した無線通信の際に、通信セッションを解放すべき状態となり、当該通信セッションを解放させたときに、当該通信セッションの解放を電源オフ処理に基づいて行ったものである場合には、通信セッションを解放状態のままに維持する。
【００１８】
好適には、上記無線制御手段は、上記第２の通信方式で待ち受けるものであって、上記第２の通信方式にて上記第１の通信方式への遷移を指令される。
【００１９】
好適には、上記無線制御手段は、上記通信セッションを解放させたときに、当該通信セッションの解放を上記電源オフ処理以外に基づいて行ったものである場合には、当該通信セッションの再接続処理を行う。
【００２０】
本発明の第４の観点は、通信に用いるパラメータをネットワーク側に送付して通信セッションを確立し、通信すべき情報の有無にかかわらず当該通信セッションを確立した状態に保つよう解放されても再接続処理を行う通信方式に対応した通信端末装置であって、上記通信方式に基づいた無線通信を行う無線制御手段と、電源オフが指示されるとデータリンクを解放するとともに、上記通信セッションを解放するように上記無線制御手段に要求するデータ通信制御手段と、を有し、上記無線制御手段は、上記データ通信制御手段による上記通信セッションの解放要求に応答して当該通信セッションを解放させ、当該通信セッションの解放が電源オフの指示に基づくものであった場合には、通信セッションを解放状態のままに維持する。
【００２１】
好適には、上記無線制御手段は、上記通信セッションを解放させたときに、当該通信セッションの解放が上記電源オフの指示以外に基づくものであった場合には、当該通信セッションの再接続処理を行う。
【００２２】
本発明の第５の観点は、通信に用いるパラメータをネットワーク側に送付して通信セッションを確立し、通信すべき情報の有無にかかわらず当該通信セッションを確立した状態に保つよう解放されても再接続処理を行う第１の通信方式と、上記第１の通信方式と送受信部を共用し、上記通信セッションを通信コネクションの確立時に確立できる第２の通信方式とに対応した無線通信を行う通信端末装置の通信方法であって、上記第１の通信方式に対応した無線通信の際に、通信セッションを解放すべき状態となり、当該通信セッションを解放させたときに、当該通信セッションの解放を電源オフ処理に基づいて行ったものである場合には、通信セッションを解放状態のままに維持する。
【発明の効果】
【００２３】
本発明によれば、電源オフ時の通信セッションの再確立処理を省略でき、電源をオフするに要する時間を短縮することができ、電源を即時に落とすことができる。
【発明を実施するための最良の形態】
【００２４】
以下、本発明の実施形態を添付図面に関連付けて説明する。
【００２５】
図１は、本発明に係る無線通信端末装置としての携帯電話機が適用される無線通信システムの一実施形態を示すシステム構成図である。
【００２６】
本実施形態に係る携帯電話機１０は、図１に示すように、無線通信部により、基地局２０を経由し、通信網８（ネットワーク）３０を介してサーバ装置４０に所望のデータを要求して、要求に応じたＷｅｂデータ等を表示部に表示する機能を有する。
【００２７】
本実施形態に係る携帯電話機１０は、通信に用いるパラメータをネットワーク側に送付して通信セッションを確立し、データ通信が即時行えるよう、通信すべき情報の有無にかかわらず通信セッションを確立した状態に保つ第１の通信方式（ＣＤＭＡ２０００  １ｘＥＶＤＯ通信方式、単にＥＶＤＯ通信方式）と、第１の通信方式であるＥＶＤＯ通信方式とで送受信部を一部共用し、通信セッションを通信コネクションの確立時に確立できる第２の通信方式（ＣＤＭＡ２０００  １ｘ通信方式、単に１ｘ通信方式）とに対応した無線通信機能を有する。
そして、携帯電話機１０は、第１の通信方式であるＥＶＤＯ通信方式に対応した無線通信の際に、通信セッションを解放すべき状態となり、通信セッションを解放させたときに、この通信セッションの解放を電源オフ処理に基づいて行ったものである場合には、通信セッションを解放状態のままに維持する機能を有する。
また、携帯電話機１０は、通信セッションを解放させたときに、通信セッションの解放を電源オフ処理以外に基づいて行った場合（たとえばデータ通信終了に応答して行った場合）には、通信セッションの再接続処理（再確立処理）を行う機能を有する。
【００２８】
すなわち、本実施形態においては、携帯電話機１０は、次の２種類の通信方式の無線ネットワーク（通信網）に接続可能な無線通信端末装置として構成されているものとする。
（１）：通常接続する１ｘ通信方式（ＩＳ９５）のネットワーク、
（２）：通信速度が通常接続する無線ネットワーク（１）より高速であるが、サービスエリアが狭いＥＶＤＯ通信方式のネットワークである。
【００２９】
ＥＶＤＯ通信方式では、無線通信端末装置から受信した受信状態を通知する情報に基づいて、基地局２０がこの無線通信端末装置へ送信するデータの変調方式を切り替えることにより、この端末の受信状態が良好なときは誤り耐性が低いが高速な通信レート、受信状態が悪いときは低速だが誤り耐性の高い通信レートを使用することが可能となる。
【００３０】
また、ＥＶＤＯ通信方式の下り方向（基地局から無線通信端末装置への方向）では、時間を１／６００秒単位で分割し、その時間内では一つの無線通信端末装置だけとの通信を行い、通信相手の無線通信端末装置を時間により切り替えることにより複数の無線通信端末装置と通信を行う、時分割多重アクセス（ＴＤＭＡ：Ｔｉｍｅ  Ｄｉｖｉｓｉｏｎ  Ｍｕｌｔｉｐｌｅｘ  Ａｃｃｅｓｓ）を採用している。これにより、常に、個々の無線通信端末装置に対して最大の電力を持ってデータ送信を行うことが可能となり、無線通信端末装置間で行うデータ通信を最速の通信速度で行うことができる。
【００３１】
ところで、ＥＶＤＯ通信方式を採用した無線通信端末装置は、強い電界の元で使用されることが前提であり、アンテナ利得は、さほど重要視されていない。
そして、受信性能を向上するために、フェージング環境下でも性能が得られるように、複数のアンテナおよび受信回路を用いてダイバーシティ通信を行うように構成する。１つの受信回路でも移動機の構成は可能であるが、２あるいは複数の受信回路によって、より良い性能が得られる。
ＥＶＤＯ通信方式を採用した無線通信端末装置は、具体的には、ＲＦフロントエンド部は、メインアンテナに対応した送受信回路と、サブアンテナに対応した受信専用の回路との組み合わせから構成される。
そして、複数の受信回路から得られた信号を最大比合成法や最小平均自乗誤差法により合成し、フェージング環境での受信性能の劣化を補う。
一般的に、一つのアンテナを用いた場合（ダイバーシティを行わない場合）の受信状態と２つのアンテナを用いた場合（ダイバーシティを行った場合）の受信状態とを比較すると、２つのアンテナを用いた場合（ダイバーシティを行った場合）の方が、一つのアンテナを用いた場合（ダイバーシティを行わない場合）に比べて、干渉による影響が極めて少ないことが知られている。
それに対して、１ｘ通信方式の通信システムで使用する無線通信端末装置は、広いエリアでのサービスが前提であり、弱電界の環境で使用できることが望まれる。また、受信回路は１つで構成される。したがって、アンテナもメインアンテナの１つが採用される。
【００３２】
本実施形態においては、複数の無線通信方式に対応する好適な送受信機能を有する携帯電話機１０として、次のように構成されている。
すなわち、本実施形態に係る携帯電話機１０は、メインアンテナとサブアンテナと受信系回路を有し、ダイバーシティを行わない第２の通信方式（ＣＤＭＡ２０００１ｘ通信方式、単に１ｘ通信方式という）と、ダイバーシティを行うべき第１の通信方式（ＣＤＭＡ２０００  １ｘＥＶＤＯ通信方式、単にＥＶＤＯ通信方式という）で選択的に通信可能で、しかも各通信方式におけるそれぞれの周波数帯が互いに干渉しあう関係にあるような周波数帯の受信機能を有する。
なお、送信系回路と受信系回路の一部は第１の通信方式であるＥＶＤＯ通信方式と第２の通信方式である１ｘ通信方式との間で共用する形態となっている。
そして、受信系回路は、１ｘ通信方式で通信を行う際は、メインアンテナのみで通信し、ＥＶＤＯ通信方式で通信を行う際は、メインアンテナとサブアンテナとによりそれぞれで受信した信号の合成を行い、サブアンテナに対して、ＥＶＤＯ通信方式で通信を行う際には使用する周波数帯にて整合の取れる第１のインピーダンス（たとえば５０オーム）とする。
受信系回路は、１ｘ通信方式で通信を行う際には、インピーダンスを第１のインピーダンスとは異なる値に変更する。たとえば入力インピーダンスをオープンあるいはショートさせて、メインアンテナと違う周波数へ移行させる。
【００３３】
図２は、本発明に係る無線通信端末装置としての携帯電話機１０の一実施形態を示すブロック構成図である。
【００３４】
本実施形態に係る携帯電話機１０は、図２に示すように、無線通信部１１、記憶部としてのメモリ１２、表示部１３、電源キー１４ａを含む操作部１４、スピーカ１５ａおよびマイクロフォン１５ｂとを含む音声処理部１５、ユーザインタフェース（Ｉ／Ｆ）制御部（以下、単に制御部という）１６、および電源部１７を有している。
【００３５】
無線通信部１１は、電波を利用した無線通信を行うために、制御部１６で処理された画像データ、音声情報、電子メール等の各種情報を変調して送受信アンテナを通して基地局２０を含む通信網３０に送信する。
無線通信部１１は、サーバ装置４０から通信網３０、基地局２０を介して送信されてくる画像データ、音声情報、電子メール等を送受信アンテナを通して受信し、受信した各種情報を復調して制御部１６に出力する。
【００３６】
また、無線通信部１１は、制御部１６の制御の下、１ｘ通信方式においては、データリンクの確立および解放処理、並びに無線コネクションの確立および解放処理を行う。
この場合、通信セッションのようなものを保持しないため、無線通信部１１は、電源オン時には、無線コネクション確立時（通信開始時）に通信セッションの確立処理を行い、無線コネクションの切断時には、解放処理のみを行う。
また、無線通信部１１は、操作部１４の電源キー１４ａが操作されて電源オフ要求が生じた場合には、制御部１４の要求に従って、データリンクの解放処理を行った後、無線コネクションの解放処理を行う。
【００３７】
また、無線通信部１１は、制御部１６の制御の下、ＥＶＤＯ通信方式においては、データリンクの確立および解放処理、通信セッションの確立および解放処理、並びに無線コネクション確立および解放処理を行う。
この場合、無線通信部１１は、通信に用いるパラメータをネットワーク側に送付して通信セッションを確立し、データ通信が即時行えるよう、通信すべき情報の有無にかかわらず通信セッションを確立した状態に保持する。
無線通信部１１は、ＥＶＤＯ通信方式では、電源オン時においては、通信セッションを常に保持する使用になっていることから、通信セッションを解放した後、直ちに再接続処理を行って、通信セッションを保持する。
この場合、無線通信部１１は、通信セッションを解放させたときに、通信セッションの解放が電源オフの指示以外に基づくものであるか否かの判断を行い、電源オフの指示以外に基づくものであると判断すると、通信セッションの再接続処理を行う。
また、無線通信部１１は、操作部１４の電源キー１４ａが操作されて電源オフ要求が生じた場合には、制御部１４の要求に従って、データリンクの解放処理を行った後、通信セッションの解放処理を行い、その後、通信セッションの再接続処理を行わず、通信セッションを解放状態のままに維持する。
【００３８】
無線通信部１１は、たとえば図２に示すように、メインアンテナ１１１、サブアンテナ１１２、切替スイッチ１１３、第１の受信回路１１４、第２の受信回路１１５、送信回路１１６、およびベースバンド部１１７を有している。
【００３９】
切り替えスイッチ１１３は、制御部１６の切替制御信号Ｓ１６１によりメインアンテナ１１１と第１の受信回路１１４または送信回路１１６との接続切り替えを行う。
【００４０】
第１の受信回路１１４は、低雑音増幅器（ＬＮＡ:Low Noise Amplifier）、あるいは共用器や復調器等を含み、メインアンテナ１１１によって受信され、切替スイッチ１１３を介した、基地局２０からの、１ｘ通信方式またはＥＶＤＯ通信方式に従ったパイロット信号を、基地局２０から受信した受信信号の変調方式に対応する復調方式によって、ベースバンド帯域の受信信号から多重化信号に復調する。なお、本実施形態においては、たとえばＱＰＳＫ（quadri phase shift keying ）、８ＰＳＫ（８ phase shift keying ）、１６ＱＡＭ（１６quadri phase amplitude modulation ）の３種のいずれかの復調方式によって復調を行う。
第１の受信回路１１４は、復調した信号をベースバンド部１１７に出力する。
【００４１】
第２の受信回路１１５は、基本的にサブアンテナ１１２によって受信されたＥＶＤＯ通信方式に従ったパイロット信号を、基地局２０から受信した受信信号の変調方式に対応する復調方式によって、ベースバンド帯域の受信信号から多重化信号に復調する。なお、本実施形態においては、たとえばＱＰＳＫ、８ＰＳＫ、１６ＱＡＭの３種のいずれかの復調方式によって復調を行う。
第２の受信回路１１４は、復調した信号をベースバンド部１１７に出力する。
【００４２】
第２の受信回路１１５は、ＥＶＤＯ通信方式下では、その入力インピーダンスを５０Ωとし、サブアンテナ１１２の対応周波数を受信帯域に合わせる。
第２の受信回路１１５は、１ｘ通信方式下では、入力インピーダンスをオープンあるいはショート方向にずらし、メインアンテナ１１１とは違う周波数帯へ移行させる。
ＥＶＤＯ通信方式下、すなわちＥＶＤＯモードの時には、ダイバーシティ構成により、フェージング環境下での耐性を向上でき、受信性能の向上に繋がる。
逆に、１ｘ通信方式下、すなわち１ｘモードの時には、第２の受信回路１１５はは全く必要ないうえに、第２の受信回路１１５に接続されたサブアンテナ１１２は、メインアンテナ１１１に対して干渉を及ぼし、悪影響を与える。
【００４３】
第２の受信回路１１５は、ＬＮＡ１１５１およびその前段に配置されたインピーダンス制御部１１５２を含み、インピーダンス制御部１１５によって、１ｘモードの時の干渉を軽減する。
本実施形態においては、１ｘモードの時の干渉を軽減するため、第２の受信回路１１５内のＬＮＡ１１５１の入力インピーダンスを利用する。
動作時には、ＬＮＡ１１５１の入力インピーダンスが５０Ωであるのは通常である。１ｘモードの時には非動作になるわけであるが、その時の入力インピーダンスを５０Ωからずらすようにしている。
【００４４】
送信回路１１６は、ベースバンド部１１７により供給される切替スイッチ１１３を介して送信すべき情報をメインアンテナ１１１を通して基地局２０を含む通信網３０に送信する。
【００４５】
ベースバンド部１１７は、制御部１６の制御の下、１ｘ通信方式において、第１の受信回路１１４および送信回路１１６を通して、データリンクの確立および解放処理、並びに無線コネクションの確立および解放処理の制御を行う。
ベースバンド部１１７は、制御部１６の制御の下、ＥＶＤＯ通信方式において、第１および第２の受信回路１１４，１１５、並びに、送信回路１１６を通して、データリンクの確立および解放処理、通信セッションの確立および解放処理、並びに無線コネクション確立および解放処理の制御を行う。
【００４６】
ベースバンド部１１７は、図２に示すように、１ｘ無線制御部１１７１、ＥＶＤＯ無線制御部１１７２、およびデータ通信制御部１１７３を主構成要素として有している。
【００４７】
１ｘ無線制御部１１７１は、１ｘ通信方式時、すなわち１ｘ通信モード時において、第１の受信回路１１４および送信回路１１６を通して、主として無線コネクションの確立および解放処理の制御を行う。
１ｘ無線制御部１１７１は、１ｘ通信モード時において、データ通信制御部１１７３によりコネクション解放要求を受けると、確立状態に保持していた無線コネクションの解放処理を行う。１ｘ無線制御部１１７１は、１ｘ通信モード時において、電源オン時には、無線コネクション確立時（通信開始時）に通信セッションの確立処理を行い、無線コネクションの切断時には、解放処理のみを行う。
また、１ｘ無線制御部１１７１は、電源オフ時には、無線コネクション解放後に制御部１６によるパワーオフコマンドを受ける。
【００４８】
ＥＶＤＯ無線制御部１１７２は、ＥＶＤＯ通信方式時、すなわちＥＶＤＯ通信モード時において、第１および第２の受信回路１１４，１１５、並びに、送信回路１１６を通して、通信セッションの確立および解放処理の制御、並びに無線コネクションの確立および解放処理の制御を行う。
ＥＶＤＯ無線制御部１１７２は、ＥＶＤＯ通信モード時において、データ通信制御部１１７３によりＥＶＤＯ通信セッション解放要求を受けると、通信セッションの解放処理を行い、この通信セッションの解放が、電源オフの指示に基づくものであるか否かをデータ通信制御部１１７３に問い合わせ（たとえば電源オフフラグが設定されているか否かの問い合わせ）、電源オフの指示に基づくものである場合には、通信セッションの再接続処理を行わず、通信セッションを解放状態のままに維持する。
ＥＶＤＯ無線制御部１１７２は、通信セッションの解放が、電源オフの指示に基づくものであるか否かをデータ通信制御部１１７３に問い合わせ、電源オフの指示に基づくものでない場合には、通信セッションの再接続処理（再確立処理）を行う。
また、ＥＶＤＯ無線制御部１１７２は、電源オフ時には、通信セッションを解放後に、通信セッションの再接続処理（再確立処理）後、または、通信セッションを解放状態のままに維持した後、制御部１６によるパワーオフコマンドを受ける。
【００４９】
データ通信制御部１１７３は、１ｘ通信モードおよびＥＶＤＯ通信モード時に、主としてデータリンクの確立および解放処理の制御を行う。
データ通信制御部１１７３は、１ｘ通信モードにおいて、制御部１６により電源オフ指標が付加されているか否かにかかわらずデータセッション切断要求を受けると、データリンクを解放し、データリンク解放状態において、コネクション解放要求を１ｘ無線制御部１１７１に出す。
データ通信制御部１１７３は、ＥＶＤＯ通信モード時において、制御部１６により電源オフ指標が付加されていないデータセッション切断要求を受けると、電源オフフラグをセット（設定）せずに、データリンクを解放し、データリンク解放状態において、コネクション解放要求をＥＶＤＯ無線制御部１１７２に出す。
データ通信制御部１１７３は、ＥＶＤＯ通信モード時において、制御部１６により電源オフ指標付きのデータセッション切断要求を受けると、電源オフフラグをセット（設定）して、データリンクを解放し、データリンク解放状態において、コネクション解放要求をＥＶＤＯ無線制御部１１７２に出す。
また、データ通信制御部１１７３は、ＥＶＤＯ無線制御部１１７２により電源オフフラグが設定状態の問い合わせがあると、これに応答して電源オフフラグがセットされているか否かをＥＶＤＯ無線制御部１１７２に報知する。
【００５０】
ベースバンド部１１７は、ＥＶＤＯ通信方式下では、ＥＶＤＯ無線制御部１１７２およびデータ通信制御部１１７３の制御の下、以下の動作を行う。
ベースバンド部１１７は、第１の受信回路１１４および第２の受信回路１１５において復調された受信データを入力し、図示しない復号器によって復号処理、具体的には、スペクトル拡散されている受信多重化信号をスペクトル逆拡散する。ベースバンド部１１７は、第１および第２の受信回路１１４，１１５から得られた信号を最大比合成法や最小平均自乗誤差法により合成し、フェージング環境での受信性能の劣化を補う。
ここで、自局に割り当てられた受信データ（たとえば、通話相手からの通話信号やダウンロードを希望したデータ等）があった場合には、受信データを復号器から制御部１６に出力する。
さらに、復号器は復号処理の過程において、Ec/Io（パイロット信号強度対全受信信号強度）を求め、以下に示す（１）式に基づいてＣＩＲ（搬送波対干渉比）を算出する。
【００５１】
（数１）
ＣＩＲ=(Ec/lo)/(１-Ec/lo)     …（１）
【００５２】
上述の式に基づいて求められたＣＩＲは、復号器から図示しない予測器に出力され、予測器において、次の受信スロットタイミング（ここで、１スロットは1.66ms=1/600秒）におけるＣＩＲの値が予測される。
ここでの予測の方法については、特に限定しないが、線形予測等の方法が例として挙げられる。また、予測器が何スロット後のＣＩＲを予測すればよいかを指示する情報は、携帯電話機１０の電源オン時に基地局２０から送信されてくる種々の制御信号に含まれている。そして、予測器によって求められた予測ＣＩＲは、図示しないＣＩＲ−ＤＲＣ変換部に供給される。
ＣＩＲ−ＤＲＣ変換部は、図示しないＣＩＲ−ＤＲＣ変換テーブルに基づいて、予測ＣＩＲをＤＲＣに変換する。このＤＲＣ（Ｄａｔａ  Ｒａｔｅ  Ｃｏｎｔｒｏｌ  Ｂｉｔ）とは、予測ＣＩＲから期待される、携帯電話機１０において所定の誤り率以下で受信可能な最高通信速度である。ここで、ＣＩＲ−ＤＲＣ変換テーブルには、基準ＣＩＲに対応するＤＲＣが定義されている。ＣＩＲ−ＤＲＣ変換部は、入力された予測ＣＩＲが基準ＣＩＲであった場合には、そのＣＩＲに対応するＤＲＣを制御部１６に出力する。
一方、予測器から入力された予測ＣＩＲが基準ＣＩＲでなかった場合には、入力された予測ＣＩＲに最も近い基準ＣＩＲに対応するＤＲＣを取得するか、または、入力された予測ＣＩＲに最も近い２値のＣＩＲから補間することにより、補間したＣＩＲに対応するＤＲＣを取得する。これにより、各予測ＣＩＲに応じたＤＲＣを取得することができ、より正確な受信状態を利用者に対して通知することが可能となる。
ベースバンド部１１７は、制御部１６から出力されたＤＲＣや送信データを、マルチプレクサによって多重化し、符号化器によって更に符号化して、送信回路１１６に出力する。
【００５３】
ベースバンド部１１７は、１ｘ通信方式下では、１ｘ無線制御部１１７１およびデータ通信制御部１１７３の制御の下、以下の動作を行う。
ベースバンド部１１７は、第１の受信回路１１４において復調された受信データを入力し、図示しない復号器によって復号処理、具体的には、スペクトル拡散されている受信多重化信号をスペクトル逆拡散する。
ここで、自局に割り当てられた受信データ（たとえば、通話相手からの通話信号やダウンロードを希望したデータ等）があった場合には、受信データを復号器から制御部１６に出力する。
さらに、復号器は復号処理の過程において、Ec/Io（パイロット信号強度対全受信信号強度）を求め、上記（１）式に基づいてＣＩＲ（搬送波対干渉比）を算出し、制御部１６に出力する。
ベースバンド部１１７は、制御部１６から出力された送信データを、マルチプレクサによって多重化し、符号化器によって更に符号化して、送信回路１１６に出力する。
【００５４】
図３は、無線通信部１１のＥＶＤＯ通信モード時と１ｘ通信モード時の各回路の動作状態を示す図である。
図３に示すように、無線通信部１１は、主要用途がデータ通信であるＥＶＤＯ通信モード時には、第１の受信回路１１４、第２の受信回路１１５、および送信回路１１６が動作状態にあり、第２の受信回路１１５ではインピーダンス制御部１１５２により入力インピーダンスがＬＮＡ１１５１の入力インピーダンスである５０オームに保持される。
無線通信部１１は、主要用途が音声通信である１ｘ通信モード時には、第１の受信回路１１４、および送信回路１１６が動作状態にあり、第２の受信回路１１５が非動作状態にあり、第２の受信回路１１５ではインピーダンス制御部１１５２により入力インピーダンスがＬＮＡ１１５１の入力インピーダンスである５０オームからずらすように制御される。
【００５５】
メモリ１２は、ＥＥＰＲＯＭ等の不揮発性メモリを含み、たとえば速度表示テーブル等、通信方式毎に所望する通信速度をあらかじめ記憶する。
【００５６】
表示部１３は、液晶表示装置（ＬＣＤ：Ｌｉｑｕｉｄ  Ｃｒｙｓｔａｌ  Ｄｉｓｐｌａｙ）や有機ＥＬ（ＥｌｅｃｔｒｏＬｕｍｉｎｅｓｃｅｎｔ）等の表示デバイスを有し、制御部１６の制御の下、通話機能のために入力した電話番号や各種メッセージ、テキストデータ等を表示する。
また、表示部１３は、電源オフ時には、制御部１６による電源オフコマンドを受けて、電源オフである表示を行う。
【００５７】
操作部１４は、終了（終話）／電源キー、開始（発呼）キー、数字等に対応した複数のテンキー等を有し、これらのキーが操作されることにより、ユーザからの入力情報を制御部１６に供給する。
【００５８】
音声処理部１５は、音声処理回路を有し、通話機能のために音声出力を行うスピーカ１５ａと、音声入力を行うマイクロフォン１５ｂとが接続されている。
音声処理部１５は、無線通信モードにおいて、マイクロフォン１５ｂにより収音した音声に対して所定の処理を行って制御部１６に出力する。
音声処理部１５は、制御部１６により供給された音声情報に対して所定の処理を行ってスピーカ１５ａから放音させる。
【００５９】
制御部１６は、マイクロコンピュータを主体として構成され、携帯電話機１０の全体の制御を行う。
たとえば、制御部１６は、無線通信部１１における各種情報の無線による送受信の制御、音声処理部１５に対する音声情報の処理、表示部１３への情報の表示、カーソルの表示形式の変更制御、および点灯制御、操作部１４の入力情報に応じた処理、メモリ１２に対するアクセス制御等を行う。
【００６０】
制御部１６は、無線通信モードにおいて、無線通信部１１を通して所望の通信方式に従って、無線通信が可能なモードであり、制御部１６は、表示部１３に電源起動直後の標準画面（いわゆる待ち受け画面）を表示させる。無線通信モードにおいては、操作部１４の操作により発呼動作等を行うことが可能である。
【００６１】
制御部１６は、データ通信が終了する際に、データセッション切断要求をデータ通信制御部１１７３に出力する。
制御部１６は、操作部１４における電源オン時に電源キー１４ａが操作されて電源をオフすべき状態になったと認識すると、電源オフ指標付きのデータセッション切断要求をベースバンド部１１７のデータ通信制御部１１７３に出力する。
制御部１６は、電源オフを行うタイミングになると、パワーオンコマンドを１ｘ無線制御部１１７１またはＥＶＤＯ無線制御部１１７２に送信し、電源オフコマンドを表示部１３に送信して電源オフ表示を行わせ、その後、制御信号Ｓ１６２を電源部１７に出力して電源をオフさせる。
【００６２】
制御部１６は、無線通信部１１のベースバンド部１１７からＤＲＣが入力されると、携帯電話機１６において生成された送信データがあるか否かを判断する。そして、送信データがある場合には、制御部１６は、上述したＤＲＣと共にこの送信データをベースバンド部１１７に出力する。一方、送信データがない場合には、制御部１６は、ＣＩＲ−ＤＲＣ変換部から入力されたＤＲＣをベースバンド部１１７に出力する。
なお、制御部１６から出力されたＤＲＣや送信データは、無線通信部１１を経由して基地局２０へ送信される。基地局２０では、ＥＶＤＯ通信方式の場合、携帯電話機１０から受信したＤＲＣに基づいて、次のスロットをどの携帯通信端末への送信に使用するか、およびその送信での通信速度（変調速度）を決定する。
【００６３】
なお、１ｘ通信方式の場合、基地局２０から無線通信端末としての携帯電話機１０への方向のデータ通信速度が携帯通信端末における受信状態を示すＣＩＲ（搬送波対干渉比）の瞬時の値で決定することも可能である。
すなわち、現在普及している通信方式であるＣＤＭＡでは、ＥＶＤＯ通信方式のように、場所によるデータ通信速度の変化がそれほど顕著でないことから、受信状態等を利用者に対して即時的に通知する必要性が低く、また、この受信状態等の判断も、基地局２０から受信するパイロット信号から求めたEc/Io（パイロット信号強度対全受信信号強度）、ＣＩＲ等の瞬時値に基づいて行い、下り通信速度を決定する。
【００６４】
制御部１６は、ＥＶＤＯ通信方式の場合、上述したように、基地局２０からの信号の受信状態に基づいて下りデータ通信速度を予測して決定するが、その理由による。
【００６５】
ＥＶＤＯ通信方式は、基地局２０から無線通信端末装置である携帯電話機１０への方向のデータ通信速度が携帯電話機１０における受信状態（たとえば受信電界強度、搬送波対干渉比＝ＣＩＲ）によって、大きく変化するという特性を有している。
たとえば、携帯電話機１０が受信状態が最も良好なときであれば通信速度2.4Mbpsでのデータ通信が可能となるが、受信状態が悪いときでは数10kbps程度にまでデータ通信速度が低下してしまう。
すなわち、ＥＶＤＯ通信方式では、下りデータ通信速度は、１ｘ通信方式のように受信状態を示すＣＩＲ（搬送波対干渉比）の瞬時の値で単純に決定されるのではなく、予測や過去の下りデータ伝送の誤り率等の統計データによる補正等により変化する。
このように、ＥＶＤＯ通信方式では、上述したように場所によるデータ通信速度の変化が顕著であるため、即時的に極めて正確なデータ通信速度を利用者に対して通知する必要がある。
このような理由から、本実施形態では、予測や過去の下りデータ伝送の誤り率等の統計データによる補正等を考慮して求められた極めて正確なデータ通信速度を直接的に示すＤＲＣを利用者に対して通知することにより、ユーザは、正確なデータ通信速度を把握することができ、データ通信開始時において、データ通信に好適な場所を容易に見つけ、通信に好適な環境においてデータ通信を開始することが可能となる。なお、上述のＤＲＣは予測したＣＩＲから導出される値であるため、導出されたこのＤＲＣも将来（たとえば、1/600秒先）の値である。
【００６６】
ここで、図２の回路の動作を、電源オフ時のデータリンク、通信セッションの解放処理を中心に、図４および図５に関連付けて説明する。
図４は、ＥＶＤＯ通信モード時における電源オフ時のデータリンク、通信セッションの解放処理を説明するための図である。
図５は、１ｘ通信モード時における電源オフ時のデータリンク、通信セッションの解放処理を説明するための図である。
なお、以下の説明では、ＥＶＤＯ通信モード時には、データリンクはデータ通信制御部１１７３により確立状態に制御され、通信セッションおよび無線コネクションはＥＶＤＯ無線制御部１１７２により確立状態に制御され、１ｘ通信モード時には、データリンクはデータ通信制御部１１７３により確立状態に制御され、無線コネクションはＥＶＤＯ無線制御部１１７２により確立状態に制御されているものとする。
【００６７】
ＥＶＤＯモード時には、無線通信部１１において、第１の受信回路１１４、第２の受信回路１１５、および送信回路１１６が動作状態となる。そして、第２の受信回路１１５ではインピーダンス制御部１１５２により入力インピーダンスがＬＮＡ１１５１の入力インピーダンス５０オームに保持される。
これにより、ダイバーシティ構成となり、メインアンテナ１１１およびサブアンテナ１１２の受信データが用いられる。
【００６８】
第１の受信回路１１４では、メインアンテナ１１１によって受信され、切替スイッチ１１３を介した、基地局２０からの、ＥＶＤＯ通信方式に従ったパイロット信号が基地局２０から受信した受信信号の変調方式に対応する復調方式によって、ベースバンド帯域の受信信号から多重化信号に復調され、ベースバンド部１１７に出力される。
第２の受信回路１１５は、サブアンテナ１１２によって受信されたＥＶＤＯ通信方式に従ったパイロット信号が、基地局２０から受信した受信信号の変調方式に対応する復調方式によって、ベースバンド帯域の受信信号から多重化信号に復調され、ベースバンド部１１７に出力される。
【００６９】
ベースバンド部１１７では、第１の受信回路１１４および第２の受信回路１１５において復調された受信データを入力し、スペクトル拡散されている受信多重化信号がスペクトル逆拡散される。ベースバンド部１１７は、第１および第２の受信回路１１４，１１５から得られた信号を最大比合成法や最小平均自乗誤差法により合成し、フェージング環境での受信性能の劣化を補う。
ここでたとえば、自局に割り当てられた受信データ（たとえば、通話相手からの通話信号やダウンロードを希望したデータ等）があった場合には、受信データを復号器から制御部１６に出力する。
また、ベースバンド部１１７は、制御部１６から出力されたＤＲＣや送信データを、マルチプレクサによって多重化し、符号化器によって更に符号化して、送信回路１１６に出力する。
【００７０】
図４に示すように、ＥＶＤＯ通信モード時に、操作部１４の電源キー１４ａが操作されると（ＳＴ１）、制御部１６は、操作部１４における電源オン時に電源キー１４ａが操作されて電源をオフすべき状態となったものと認識し、電源オフ指標付きのデータセッション切断要求をベースバンド部１１７のデータ通信制御部１１７３に出力する（ＳＴ２）。
データ通信制御部１１７３は、データセッション切断要求を受信して、電源オフフラグをセットし（ＳＴ３）、データリンクの解放処理を行う（ＳＴ４）。
そして、データ通信制御部１１７３は、データリンク解放状態において、ＥＶＤＯ通信セッションの解放要求をＥＶＤＯ無線制御部１１７２に出力する（ＳＴ５）。
【００７１】
ＥＶＤＯ無線制御部１１７２は、ＥＶＤＯ通信セッションの解放要求に応答して通信セッションの解放処理を行う（ＳＴ６）。
ＥＶＤＯ無線制御部１１７２は、通信セッション解放状態において、データ通信制御部１１７３に対して、通信セッションの解放が電源オフの指示に基づくものであるか否かを判断するために、データ通信制御部１１７３に電源オフフラグがセットされているか否かを問い合わせる（ＳＴ７，ＳＴ８）。
この場合、通信セッションの解放が電源オフの指示に基づくものであることから、データ通信制御部１１７３に電源オフフラグがセットされている旨をＥＶＤＯ無線制御部１１７２に報知する。
電源オフフラグがセットされている旨を報知されたＥＶＤＯ無線制御部１１７２は、通信セッションの解放が電源オフの指示に基づくものであるとして、通信セッションの再接続処理（再確立処理）を行わず、解放状態のままに保持する（ＳＴ９）。
一方の本例のように、電源キーが操作されず電源オフフラグがセットされていない場合には、通信セッションの解放が電源オフの指示に基づくものではないとして、通信セッションの再接続処理（再確立処理）を行う（ＳＴ１０）。
【００７２】
そして、制御部１６は、電源オフを行うタイミングになると、パワーオンコマンドを１ｘ無線制御部１１７１またはＥＶＤＯ無線制御部１１７２に送信する（ＳＴ１１）。
また、制御部１６は、電源オフコマンドを表示部１３に送信して電源オフ表示を行わせ（ＳＴ１２）、その後、制御信号Ｓ１６２を電源部１７に出力して電源をオフさせる（ＳＴ１３）。
【００７３】
このように、ＥＶＤＯ通信モード時には、電源をオフするときは、通信セッションの再接続処理を行わず、解放状態に維持することから、プロトコルシーケンスに影響を及ぶすることもなく、電源オフ時の通信セッションの再確立処理が省略されることから電源をオフするに要する時間が短縮される。
【００７４】
１ｘ通信モード時には、無線通信部１１おいて、第１の受信回路１１４、および送信回路１１６が動作状態となり、第２の受信回路１１５が非動作状態となる。
そして、第２の受信回路１１５においては、インピーダンス制御部１１５２により入力インピーダンスがＬＮＡ１１５１の入力インピーダンス５０オームからずらすように制御される。
第１の受信回路１１４では、メインアンテナ１１１によって受信され、切替スイッチ１１３を介した、基地局２０からの、１ｘ方式に従ったパイロット信号が基地局２０から受信した受信信号の変調方式に対応する復調方式によって、ベースバンド帯域の受信信号から多重化信号に復調され、ベースバンド部１１７に出力される。
【００７５】
ベースバンド部１１７では、１ｘ通信方式下では、第１の受信回路１１４において復調された受信データが入力され、スペクトル拡散されている受信多重化信号がスペクトル逆拡散される。
ここで、自局に割り当てられた受信データ（たとえば、通話相手からの通話信号やダウンロードを希望したデータ等）があった場合には、受信データを復号器から制御部１６に出力する。
また、ベースバンド部１１７は、制御部１６から出力された送信データを、マルチプレクサによって多重化し、符号化器によって更に符号化して、送信回路１１６に出力する。
【００７６】
図５に示すように、１ｘ通信モード時に、操作部１４の電源キー１４ａが操作されると（ＳＴ２１）、制御部１６は、操作部１４における電源オン時に電源キー１４ａが操作されて電源をオフすべき状態となったものと認識し、電源オフ指標付きのデータセッション切断要求をベースバンド部１１７のデータ通信制御部１１７３に出力する（ＳＴ２２）。
データ通信制御部１１７３は、データセッション切断要求を受信してデータリンクの解放処理を行う（ＳＴ２３）。
そして、データ通信制御部１１７３は、データリンク解放状態において、１ｘ通信のコネクションの解放要求を１ｘ無線制御部１１７１に出力する（ＳＴ２４）。
【００７７】
１ｘ無線制御部１１７１は、コネクションの解放要求に応答してコネクションの解放処理を行う（ＳＴ２５）。
そして、制御部１６は、電源オフを行うタイミングになると、パワーオンコマンドを１ｘ無線制御部１１７１またはＥＶＤＯ無線制御部１１７２に送信する（ＳＴ２６）。
また、制御部１６は、電源オフコマンドを表示部１３に送信して電源オフ表示を行わせ（ＳＴ２７）、その後、制御信号Ｓ１６２を電源部１７に出力して電源をオフさせる（ＳＴ２８）。
【００７８】
以上説明したように、本実施形態によれば、通信に用いるパラメータをネットワーク側に送付して通信セッションを確立し、データ通信が即時行えるよう、通信すべき情報の有無にかかわらず当該通信セッションを確立した状態に保つＥＶＤＯ通信方式に対応した通信端末装置において、ＥＶＤＯ通信方式に基づいた無線通信制御を行うＥＶＤＯ無線制御部１１７２と、電源オフが指示されるとデータリンクを解放するとともに、通信セッションを解放するようにＥＶＤＯ無線制御部１１７２に要求するデータ通信制御部１１７３とを有し、ＥＶＤＯ無線制御部１１７２は、データ通信制御部１１７３による通信セッションの解放要求に応答して通信セッションを解放させ、通信セッションの解放が電源オフの指示に基づくものであった場合には、通信セッションを解放状態のままに維持し、通信セッションを解放させたときに、通信セッションの解放が電源オフの指示以外に基づくものであった場合には、通信セッションの再接続処理を行うことから、プロトコルシーケンスに影響を及ぶすることもなく、電源オフ時の通信セッションの再確立処理が省略されることから電源をオフするに要する時間を短縮することができる。
すなわち、プロトコルシーケンスが中断されてしまうことを防止することができ、基地局側への負荷を減少させることができる。
【００７９】
なお、以上の説明では、説明の簡略化のため、データリンクについて、通信セッションと通信コネクションとデータセッションという用語を用いて表現してきた。たとえば３ＧＰＰ２で規定されるＥＶＤＯにおいては、通信セッションは「ＳｅｓｓｉｏｎＬａｙｅｒ」、通信コネクションはより物理層に近い「ＣｏｎｎｅｃｔｉｏｎＬａｙｅｒ」、データセッションはこれらの上に立つＰＰＰにおいて、本発明は適用可能である。
【図面の簡単な説明】
【００８０】
【図１】本発明に係る無線通信端末装置としての携帯電話機が適用される無線通信システムの一実施形態を示すシステム構成図である。
【図２】本発明に係る無線通信端末としての携帯電話機の一実施形態を示すブロック構成図である。
【図３】本実施形態に係る無線通信部のＥＶＤＯ通信モード時と１ｘ通信モード時の各回路の動作状態を示す図である。
【図４】ＥＶＤＯ通信モード時における電源オフ時のデータリンク、通信セッションの解放処理を説明するための図である。
【図５】１ｘ通信モード時における電源オフ時のデータリンク、通信セッションの解放処理を説明するための図である。
【図６】ＣＤＭＡ２０００  １ｘの通信方式に従って無線通信を行う場合の説明図である。
【図７】ＣＤＭＡ２０００  １ｘＥＶＤＯの通信方式に従って無線通信を行う場合の説明図である。
【符号の説明】
【００８１】
１０…携帯電話機、１１…無線通信部、１１１…送受信アンテナ、１１２…サブアンテナ、１１３…切替スイッチ、１１４…第１の受信回路、１１５，１１５Ａ…第２の受信回路、１１６…送信回路、１１７…ベースバンド部、１１７１…１ｘ無線制御部、１１７２…ＥＶＤＯ無線制御部、１１７３…データ通信制御部、１２…メモリ、１３…表示部、１４…操作部、１５…音声処理部、１６…制御部、１７…電源部、２０…基地局、３０…通信網、４０…サーバ装置。
【図１】
2005347866.tif 000003
【図２】
2005347866.tif 000004
【図３】
2005347866.tif 000005
【図４】
2005347866.tif 000006
【図５】
2005347866.tif 000007
【図６】
2005347866.tif 000008
【図７】
2005347866.tif 000009